【手続補正書】
【提出日】平成15年1月16日(2003.1.16)
【手続補正１】
【補正対象書類名】明細書
【補正対象項目名】特許請求の範囲
【補正方法】変更
【補正の内容】
【特許請求の範囲】
【請求項１】
１つまたは複数の指数のセットに反応する２つ以上のプロキシ資産のプロキシ資産セットを提供するための方法であって、前記プロキシ資産セットの各プロキシ資産は、プロキシ資産勘定価値および前記プロキシ資産勘定価値において等しい請求権を表すいくつかのプロキシ資産株を有し、前記プロキシ資産セットは、前記プロキシ資産セットにおける前記いくつかのプロキシ資産株の全部にわたる合計に等しい株式の総数を有し、かつ前記プロキシ資産セットの前記プロキシ資産勘定価値の全部にわたる合計に等しいプロキシ資産セット勘定価値を有し、
Ａ．プロキシ資産勘定価値を、前記１つまたは複数の指数のセットのうち少なくとも１つの対応する指数に反応する所定の勘定式により定義するステップと、
Ｂ．前記プロキシ資産セット勘定価値を、財源プールの価値によって制約するステップと、
Ｃ．前記プロキシ資産勘定価値を、複数の所定のイベントの各イベントの発生において、前記勘定式に従って再評価するステップとを含む方法。
【請求項２】
前記株式の総数を投資者のセットに最初に割り当てるステップをさらに含み、前記投資者のセットの各投資者には少なくとも１つの投資者勘定が割り当てられ、各投資者勘定は、前記プロキシ資産セットのうち１つのプロキシ資産についてのプロキシ資産株の投資者勘定番号を有し、さらに、
各投資者勘定についての各投資者から、前記プロキシ資産株の投資者勘定番号および１株当たりのプロキシ資産勘定価値のための当初価値の積に等しい額における、前記財源プールへの分担金を最初に受信するステップをさらに含む、請求項１に記載の方法。
【請求項３】
前記プロキシ資産セットのうち特定のプロキシ資産について、前記特定のプロキシ資産の再評価されたプロキシ資産勘定価値を、前記特定のプロキシ資産のうち前記プロキシ資産株の数によって除算した商に実質的に等しい、１株当たりの更新された特定のプロキシ資産勘定価値を公開するステップをさらに含む、請求項１に記載の方法。
【請求項４】
前記再評価するステップ中に、１つのプロキシ資産の前記プロキシ資産勘定価値から失われた実質的にすべての価値が、前記プロキシ資産セットの１つまたは複数の他のプロキシ資産の前記プロキシ資産勘定価値に与えられる、請求項１に記載の方法。
【請求項５】
前記再評価するステップが、
前記１つまたは複数の指数のセットに対応する１つまたは複数の更新された指数価値のセットを、前記複数の所定のイベントのうち現在イベントの更新時間に受信するステップと、
前記財源プールの更新された価値を前記更新時間に受信するステップと、
各プロキシ資産についての更新されたプロキシ資産勘定価値を、前記勘定式および前記財源プールの前記更新された値を使用して計算するステップとを含む、請求項１に記載の方法。
【請求項６】
前記再評価するステップが、
前記財源プールからの支払額を、所定の支払式に従って計算するステップと、
前記財源プールの前記更新された価値を前記支払額だけ、前記更新されたプロキシ資産勘定価値を計算する前記ステップの前に減少させるステップとをさらに含む、請求項５に記載の方法。
【請求項７】
特定のプロキシ資産について、前記支払額および前記株式の総数に反応して１株当たりの特定の支払を公開するステップをさらに含む、請求項６に記載の方法。
【請求項８】
前記１株当たりの特定の支払がさらに、前記特定のプロキシ資産の前記プロキシ資産勘定価値および前記プロキシ資産セット勘定価値に反応する、請求項７に記載の方法。
【請求項９】
前記１株当たりの特定の支払がさらに、前記複数の所定のイベントのうち以前のイベントでの前記プロキシ資産勘定価値の以前の価値から、前記特定のプロキシ資産のプロキシ資産勘定価値における変化に反応する、請求項７に記載の方法。
【請求項１０】
１株当たりのプロキシ資産勘定価値が、前記プロキシ資産勘定価値を、対応するプロキシ資産についての前記プロキシ資産株の数によって除算した商に実質的に等しく、
前記１つまたは複数の指数のセットが、単一の経済指標からなるセットであり、
前記プロキシ資産セットが、上昇プロキシ資産および下落プロキシ資産を含み、
前記プロキシ資産勘定価値を定義するステップが、上昇プロキシ資産勘定価値を上昇勘定式により定義するステップをさらに含み、１株当たりの上昇プロキシ資産勘定価値は、前記単一の経済指標の少なくともいくつかの値についての前記単一の経済指標に比例し、さらに、
下落プロキシ資産勘定価値を下落勘定式により定義するステップをさらに含み、前記下落資産勘定価値は、前記財源プールの前記価値から、前記上昇プロキシ資産についての前記プロキシ資産株の数および前記１株当たりの上昇プロキシ資産価値の積を引いた差に実質的に等しい、請求項１に記載の方法。
【請求項１１】
１株当たりの平均価値が、前記プロキシ資産セット勘定価値を前記株式の総数で除算した商に実質的に等しく、
１株当たりのプロキシ資産勘定価値が、前記プロキシ資産勘定価値を、対応するプロキシ資産についての前記プロキシ資産株の数によって除算した商に実質的に等しく、
前記１つまたは複数の指数のセットが数Ｎ個の独立指数を含み、ただしＮは１より大きく、前記プロキシ資産セットは正確にＮ個のプロキシ資産を有し、さらに、
前記プロキシ資産勘定価値を定義するステップが、前記プロキシ資産セットのうち特定のプロキシ資産について、前記平均株式価値に、前記Ｎ個の独立指数のうち特定の指数と前記Ｎ個の独立指数のうち他のすべての指数の平均の間の差を加えたものに実質的に等しい、１株当たりの特定のプロキシ資産勘定価値を設定するための特定の勘定関数をさらに含み、前記特定の指数は前記特定のプロキシ資産に対応する、請求項１に記載の方法。
【請求項１２】
１株当たりの平均価値が、前記プロキシ資産セットの前記プロキシ資産セット勘定価値および前記プロキシ資産セットの前記株式の総数の商に等しく、
１株当たりのプロキシ資産勘定価値が、前記プロキシ資産勘定価値を、対応するプロキシ資産についての前記プロキシ資産株の数によって除算した商に等しく、
前記１つまたは複数の指数のセットが数Ｎ個の独立指数を含み、ただしＮは１より大きく、
前記プロキシ資産セットが正確にＮ個のプロキシ資産を有し、
前記プロキシ資産勘定価値を定義するステップが、前記プロキシ資産セットのうち特定のプロキシ資産について、前記１株当たりの平均価値を、前記Ｎ個の指数のうち対応する特定の指数を前記Ｎ個の独立指数の合計によって除算した商によって乗算したものに実質的に等しい、１株当たりの特定のプロキシ資産勘定価値を設定するための特定の勘定関数をさらに含む、請求項１に記載の方法。
【請求項１３】
第１のプロキシ資産の株式および第２のプロキシ資産の株式を含む、特定のプロキシ資産バンドルを定義するステップと、
前記特定のプロキシ資産バンドルの価値を公開するステップとをさらに含む、請求項１に記載の方法。
【請求項１４】
前記第１のプロキシ資産が前記プロキシ資産セットからのものであり、前記第２のプロキシ資産が前記プロキシ資産セットからのものである、請求項１３に記載の方法。
【請求項１５】
前記第１のプロキシ資産が第１のプロキシ資産セットからのものであり、前記第２のプロキシ資産が異なるプロキシ資産セットからのものである、請求項１３に記載の方法。
【請求項１６】
１株当たりの平均価値が、前記プロキシ資産セットの前記プロキシ資産セット勘定価値および前記プロキシ資産セットの前記株式の総数の商に等しく、
株式の完全セットがある条件を満たし、完全セット数の株式を有し、
前記方法が、株式の完全セットを発行するステップおよび株式の完全セットを償還するステップのうち少なくとも１つをさらに含む、請求項１に記載の方法。
【請求項１７】
前記ある条件が、前記プロキシ資産セットにおける各特定のプロキシ資産について、前記完全セットにおける前記特定のプロキシ資産の株式と前記完全セット数の株式の比を、前記特定のプロキシ資産の前記プロキシ資産株の数と前記株式の総数の比に実質的に等しく維持することを含む、請求項１６に記載の方法。
【請求項１８】
前記株式の完全セットを発行するステップが、
特定のプロキシ資産のうち前記プロキシ資産株の数を、前記完全セットにおける前記特定のプロキシ資産の株式の数だけ、前記プロキシ資産セットのうち各特定のプロキシ資産について増加させるステップと、
前記財源プールを、前記完全セット数の株式を前記１株当たりの平均価値によって乗算した積に実質的に等しい額における追加の財源により、増大させるステップとを含む、請求項１６に記載の方法。
【請求項１９】
前記株式の完全セットを償還するステップが、
特定のプロキシ資産のうち前記プロキシ資産株の数を、前記完全セットにおける前記特定のプロキシ資産の株式の数だけ、前記プロキシ資産セットのうち各特定のプロキシ資産について減少させるステップと、
前記財源プールを、前記完全セット数の株式を前記１株当たりの平均価値によって乗算した積に実質的に等しい額の財源の支払により、低減させるステップとを含む、請求項１６に記載の方法。
【請求項２０】
前記複数の所定のイベントのうち各異なるイベントが、所定の時間のセットのうち異なる更新時間である、請求項１に記載の方法。
【請求項２１】
前記１つまたは複数の指数のセットのうち少なくとも１つの指数が流動資産についての価格を表す、請求項１に記載の方法。
【請求項２２】
前記１つまたは複数の指数のセットのうち少なくとも１つの指数が非流動資産についての価格を表す、請求項１に記載の方法。
【請求項２３】
前記非流動資産が、
不動産、
私的保有企業株、
めったに取引されない企業株、
船舶、
航空機、
希少コイン、
高価な宝石、
傑作絵画、
家畜、又は
サラブレッド
の少なくとも一つを含む、請求項２２に記載の方法。
【請求項２４】
前記１つまたは複数の指数のセットのうち少なくとも１つの指数が所得の流れを表す、請求項１に記載の方法。
【請求項２５】
前記所得の流れが、
国、
個人的な人物、
人間労働、
人的資本、
に関連付けられた所得を含む、請求項２４に記載の方法。
【請求項２６】
前記１つまたは複数の指数のセットのうち少なくとも１つの指数が経済指標を表す、請求項１に記載の方法。
【請求項２７】
前記経済指標が、
消費者物価指数、
失業率
消費者信頼感を含む、請求項２６に記載の方法。
【請求項２８】
前記１つまたは複数の指数のセットのうち少なくとも１つの指数が、
マクロ経済指標、
１つまたは複数の企業株、
１つまたは複数のミューチャル・ファンド、
企業株の総合指数、
前記企業株の総合指数の増価ストリップ、
企業株の総合指数の増価ストリップ残差、
少なくとも１つの企業についての収益、
複数の企業についての特定の期間における収益、
企業株についての価格収益率、
企業の下位区分についての追跡株、
消費指数、
異なるタイプの金利またはモーゲージ金利のスプレッド、
取引所における１つまたは複数の品目についてのビッド・アスク価格におけるスプレッド、
職業所得、または
１つまたは複数の国についての貿易収支、
のうち少なくとも１つを表す、請求項１に記載の方法。
【請求項２９】
前記職業所得が、
労働者のクラス、または
ある特性を共有する労働者のクラスタのうち少なくとも１つに関連付けられる、請求項２８に記載の方法。
【請求項３０】
前記総合指数が、
１）ＮＡＳＤＡＱ、
２）Ｓ＆Ｐ５００、
３）ダウ・ジョーンズ工業平均株価、
４）ニューヨーク取引所総合指数、および
５）日経を含むグループから選択される、請求項２８に記載の方法。
【請求項３１】
前記財源プールが、
非流動資産、
所得の流れ、
現金、
流動資産、
現在価値を有する品目を少なくとも一つ含む、請求項１に記載の方法。
【請求項３２】
プロキシ資産を取引所で取引するステップをさらに含む、請求項１に記載の方法。
【請求項３３】
取引所において前記プロキシ資産セットのプロキシ資産についての注文の間の完全セットを識別するステップをさらに含み、完全セットがある条件を満たす、請求項３２に記載の方法。
【請求項３４】
所定の注文履行規則を使用して注文を、投資者の間の少なくとも１つの取引により履行し、完全セットにおける株式を償還し、完全セットにおける株式を発行するステップをさらに含む、請求項３３に記載の方法。
【請求項３５】
前記プロキシ資産セットを終わらせるための終了規則を定義し、前記財源プールにおけるすべての財源を分配するステップをさらに含む、請求項１に記載の方法。
【請求項３６】
前記プロキシ資産勘定価値を定義するステップが、
投資者からの、前記１つまたは複数の指数のセットが選択される元の１つまたは複数の指数候補を指示する入力を受信するステップと、
前記所定の勘定式を、指示された前記１つまたは複数の指数候補に反応して自動的に構築するステップとをさらに含む、請求項１に記載の方法。
【請求項３７】
Ｄ．前記プロキシ資産株のうち少なくともいくつかを私設取引のためにオファーするステップをさらに含む、請求項１に記載の方法。
【請求項３８】
Ｄ．前記プロキシ資産株のうち少なくともいくつかを公開取引のためにオファーするステップをさらに含む、請求項１に記載の方法。
【請求項３９】
Ｄ．前記プロキシ資産株のうち少なくともいくつかを取引するステップをさらに含む、請求項１に記載の方法。
【請求項４０】
Ｄ．前記プロキシ資産株から、前記指数のセットにおけるプラス変化に応じて、価値における増大を経験するように構成された第１の株式のセットを形成するステップと、
Ｅ．前記プロキシ資産株から、前記指数のセットにおけるマイナス変化に応じて、価値における増大を経験するように構成された第２の株式のセットを形成するステップとをさらに含む、請求項１に記載の方法。
【請求項４１】
Ｆ．前記プロキシ資産のうち１つまたは複数を、前記第１の株式のセットと前記第２の株式のセットの間で移行するステップをさらに含む、請求項４０に記載の方法。
【請求項４２】
Ｄ．前記プロキシ資産株のうち少なくともいくつかを償還するステップをさらに含む、請求項１に記載の方法。
【請求項４３】
Ｄ．前記プロキシ資産株のうち少なくともいくつかをオファーするステップと、
Ｅ．前記プロキシ資産株をオファーするステップを、トリガリング・イベントに応じて終了させるステップとをさらに含み、前記トリガリング・イベントは、
１）所定の期間の終了、
２）前記指数のセットにおける価値変動、
３）前記プロキシ資産株の利益率における変化、
４）１つまたは複数の経済指標のセットにおける変化、
５）リスク報酬のレベルにおける変化、
６）前記財源プールの前記価値における変化、および
７）前記プライム・レートにおける変化、
を含むイベントのグループから選択される、請求項１に記載の方法。
【請求項４４】
前記財源プールの前記価値を、トリガリング・イベントに応じて調整するステップをさらに含み、前記トリガリング・イベントは、
１）所定の期間の終了、
２）前記指数のセットからの指数の追加または削除、
３）前記指数のセットにおける価値変動、
４）１つまたは複数の経済指標のセットにおける変化、
５）リスク報酬のレベルにおける変化、および
６）前記プライム・レートにおける変化、
を含むイベントのグループから選択される、請求項１に記載の方法。
【請求項４５】
前記勘定式がレバレッジ係数を含み、前記レバレッジ係数が、前記指数のセットのうち１つまたは複数に重み付けするために適用される、請求項１に記載の方法。
【請求項４６】
１つまたは複数の指数のセットに反応する２つ以上のプロキシ資産のプロキシ資産セットにおける投資をバンキングするための方法であって、
財源プールについての価値を示す情報および特定の投資者勘定を示す情報を有するデータベースを維持するステップであって、前記特定の投資者勘定を示す情報は、投資者のセットのうち特定の投資者、前記プロキシ資産セットのうち特定のプロキシ資産、および、プロキシ資産株の投資者勘定番号を含む、ステップと、さらに、
通信リンクを介して、前記財源プールの前記価値を示す信号を送信するステップと、
前記通信リンクを介して、前記プロキシ資産セットの各プロキシ資産についての、前記１つまたは複数の指数のセットのうちの指数に反応する１株当たりのプロキシ資産勘定価値を受信するステップと、
を含む方法。
【請求項４７】
１つまたは複数の指数のセットに反応する２つ以上のプロキシ資産のプロキシ資産セットの株式を取引所で取引するための方法であって、前記プロキシ資産セットの各プロキシ資産は、プロキシ資産勘定価値およびいくつかのプロキシ資産株を有し、前記プロキシ資産勘定価値の前記プロキシ資産セットにわたる合計は、財源プールの価値に実質的に等しく、
トレーダーに、前記プロキシ資産セットの株式を取引するための１つまたは複数のオファーの間の前記プロキシ資産セットの株式の完全セットを提示するステップを含み、
完全セットが前記プロキシ資産セットの株式の間である条件を満たす方法。
【請求項４８】
前記完全セットを提示するステップが、一度に複数のブック・ウィンドウをトレーディング画面上で維持するステップをさらに含む、請求項４７に記載の方法。
【請求項４９】
トレーダーが、プロキシ資産セット償還条件を満たす売付注文の完全セットの平均価格に反応する警告を設定できるようにするステップをさらに含む、請求項４７に記載の方法。
【請求項５０】
トレーダーが、プロキシ資産セット発行条件を満たす買付注文の完全セットの平均価格に反応する警告を設定できるようにするステップをさらに含む、請求項４７に記載の方法。
【請求項５１】
前記プロキシ資産セットの株式の完全セットを、取引するための１つまたは複数のオファーの間で自動的に発見するステップをさらに含む、請求項４７に記載の方法。
【請求項５２】
前記プロキシ資産セットのプロキシ資産を取引するための１つまたは複数の注文を、所定の注文履行規則に従って自動的に履行するステップをさらに含む、請求項４７に記載の方法。
【請求項５３】
１つまたは複数の指数のセットに反応する２つ以上のプロキシ資産のプロキシ資産セットを管理するための方法であって、前記プロキシ資産セットの各プロキシ資産は、プロキシ資産勘定価値および前記プロキシ資産勘定価値において等しい請求権を表すいくつかのプロキシ資産株を有し、前記プロキシ資産セットは、前記いくつかのプロキシ資産株の前記プロキシ資産セットにわたる合計に等しい株式の総数を有し、かつ前記プロキシ資産勘定価値の前記プロキシ資産セットにわたる合計に等しいプロキシ資産セット勘定価値を有し、
財源プールの価値を受信するステップと、
前記指数のセットのうちの指数の価値を受信するステップと、
プロキシ資産勘定価値を、前記指数の前記価値に反応する勘定式、および前記財源プールの前記価値による前記プロキシ資産セット勘定価値への制約に従って評価するステップとを含み、前記評価するステップは、複数の所定のイベントの各イベントの発生において実行される、方法。
【請求項５４】
１つまたは複数の指数のセットに反応する２つ以上のプロキシ資産のプロキシ資産セットを提供するためのシステムであって、前記プロキシ資産セットの各プロキシ資産は、プロキシ資産勘定価値およびいくつかのプロキシ資産株を有し、前記プロキシ資産セットは、前記いくつかのプロキシ資産株の前記プロキシ資産セットにわたる合計に等しい株式の総数を有し、かつ前記プロキシ資産勘定価値の前記プロキシ資産セットにわたる合計に等しいプロキシ資産セット勘定価値を有し、
Ａ．ネットワークと、
Ｂ．前記ネットワークに接続されたコンピュータ可読媒体であって、投資者のセットの各投資者について、財源プールの価値および各プロキシ資産の株式の数を格納する前記コンピュータ可読媒体と、
Ｃ．前記ネットワークに接続された、前記財源プールの前記価値を計算するように構成された１つまたは複数の銀行プロセッサと、
Ｄ．プロキシ資産勘定価値を、前記１つまたは複数の指数のセットのうち少なくとも１つの対応する指数に応じて評価するため、かつ前記プロキシ資産セット勘定価値を前記財源プールの前記価値によって制約するために構成された、１つまたは複数のプロキシ資産セット・プロセッサとを含むシステム。
【請求項５５】
前記指数のセットのうち１つまたは複数が、
１）ＮＡＳＤＡＱ、
２）Ｓ＆Ｐ５００、
３）ダウ・ジョーンズ工業平均株価、
４）ニューヨーク取引所総合指数、および
５）日経を含むグループから選択される総合指数を表す、請求項５４に記載のシステム。
【請求項５６】
前記１つまたは複数の指数のセットのうち少なくとも１つの指数が、１つまたは複数の企業株を表す、請求項５４に記載のシステム。
【請求項５７】
前記１つまたは複数の指数のセットのうち少なくとも１つの指数が、１つまたは複数のミューチャル・ファンドを表す、請求項５４に記載のシステム。
【請求項５８】
前記プロキシ資産セット・プロセッサが、前記プロキシ資産株のうち少なくともいくつかを私設取引のためにオファーするようにさらに構成される、請求項５４に記載のシステム。
【請求項５９】
前記プロキシ資産セット・プロセッサが、前記プロキシ資産株のうち少なくともいくつかを公開取引のためにオファーするようにさらに構成される、請求項５４に記載のシステム。
【請求項６０】
前記プロキシ資産セット・プロセッサが、前記プロキシ資産株のうち少なくともいくつかを取引するようにさらに構成される、請求項５４に記載のシステム。
【請求項６１】
前記プロキシ資産セット・プロセッサが、
前記プロキシ資産株から、前記指数のセットにおけるプラス変化に応じて、価値における増大を経験するように構成された第１の株式のセットを形成するように、かつ
前記プロキシ資産株から、前記指数のセットにおけるマイナス変化に応じて、価値における増大を経験するように構成された第２の株式のセットを形成するようにさらに構成される、請求項５４に記載のシステム。
【請求項６２】
前記プロキシ資産プロセッサが、前記プロキシ資産のうち１つまたは複数を、前記第１の株式のセットと前記第２の株式のセットの間で移行するようにさらに構成される、請求項６１に記載のシステム。
【請求項６３】
前記プロキシ資産セット・プロセッサが、前記プロキシ資産株のうち少なくともいくつかを償還するようにさらに構成される、請求項５４に記載のシステム。
【請求項６４】
前記プロキシ資産セット・プロセッサが、前記プロキシ資産株のうち少なくともいくつかをオファーするように、かつ
前記プロキシ資産株の前記オファーを、トリガリング・イベントに応じて終了させるようにさらに構成され、前記トリガリング・イベントは、
１）所定の期間の終了、
２）前記指数のセットにおける価値変動、
３）前記プロキシ資産株の利益率における変化、
４）１つまたは複数の経済指標のセットにおける変化、
５）リスク報酬のレベルにおける変化、
６）前記財源プールの前記価値における変化、および
７）前記プライム・レートにおける変化を含むイベントのグループから選択される、請求項５４に記載のシステム。
【請求項６５】
前記プロキシ資産セット・プロセッサが、
前記財源プールの前記価値を、トリガリング・イベントに応じて調整するようにさらに構成され、前記トリガリング・イベントは、
１）所定の期間の終了、
２）前記指数のセットからの指数の追加または削除、
３）前記指数のセットにおける価値変動、
４）１つまたは複数の経済指標のセットにおける変化、
５）リスク報酬のレベルにおける変化、および
６）前記プライム・レートにおける変化を含むイベントのグループから選択される、請求項５４に記載のシステム。
【請求項６６】
前記勘定式がレバレッジ係数を含み、前記レバレッジ係数が、前記指数のセットのうち１つまたは複数に重み付けするために適用される、請求項５４に記載のシステム。
【請求項６７】
１つまたは複数の指数のセットに反応する２つ以上のプロキシ資産のプロキシ資産セットにおける投資をバンキングするための装置であって、
財源プールについての価値を示す情報および特定の投資者勘定を示す情報を格納するためのコンピュータ可読媒体を含み、前記特定の投資者勘定を示す情報は、
投資者のセットのうち特定の投資者と、
前記プロキシ資産セットのうち特定のプロキシ資産と、
プロキシ資産株の投資者勘定番号とを含み、さらに、
前記コンピュータ可読媒体に結合された１つまたは複数のプロセッサであって、通信リンクを介して、前記財源プールの前記価値を示す信号を送信させ、前記通信リンクを介して、前記プロキシ資産セットの各プロキシ資産についての、前記１つまたは複数の指数のセットのうちの指数に反応する１株当たりのプロキシ資産勘定価値を受信させるように構成された１つまたは複数のプロセッサと、
を含む、装置。
【請求項６８】
１つまたは複数の指数のセットに反応する２つ以上のプロキシ資産のプロキシ資産セットの株式を取引所で取引するための装置であって、前記プロキシ資産セットの各プロキシ資産は、プロキシ資産勘定価値およびいくつかのプロキシ資産株を有し、前記プロキシ資産勘定価値の前記プロキシ資産セットにわたる合計は、財源プールの価値に実質的に等しく、
表示装置と、
前記表示装置に接続された１つまたは複数のプロセッサであって、前記表示装置上で、前記プロキシ資産セットの株式を取引するための１つまたは複数のオファーの間の前記プロキシ資産セットの株式の完全セットを提示するように構成された１つまたは複数のプロセッサとを含み、
完全セットが前記プロキシ資産セットの株式の間である条件を満たす装置。
【請求項６９】
１つまたは複数の指数のセットに反応する２つ以上のプロキシ資産のプロキシ資産セットを管理するための装置であって、前記プロキシ資産セットの各プロキシ資産は、プロキシ資産勘定価値および前記プロキシ資産勘定価値において等しい請求権を表すいくつかのプロキシ資産株を有し、前記プロキシ資産セットは、前記いくつかのプロキシ資産株の前記プロキシ資産セットにわたる合計に等しい株式の総数を有し、かつ前記プロキシ資産勘定価値の前記プロキシ資産セットにわたる合計に等しいプロキシ資産セット勘定価値を有し、
財源プールの価値および前記指数のセットのうちの指数の価値を格納するためのコンピュータ可読媒体と、
前記コンピュータ可読媒体に接続された１つまたは複数のプロセッサであって、プロキシ資産勘定価値を、前記指数の前記価値に反応する勘定式、および前記財源プールの価値による前記プロキシ資産セット勘定価値への制約に従って評価するように構成された１つまたは複数のプロセッサとを含み、前記評価は、複数の所定のイベントの各イベントの発生において実行される装置。
【請求項７０】
１つまたは複数の指数のセットに反応する２つ以上のプロキシ資産のプロキシ資産セットにおける投資をバンキングするためのコンピュータ・プログラム製品であって、
財源プールについての価値を示す情報および特定の投資者勘定を示す情報を格納するためのコンピュータ可読媒体を含み、前記特定の投資者勘定を示す情報は、
投資者のセットのうち特定の投資者と、
前記プロキシ資産セットのうち特定のプロキシ資産と、
プロキシ資産株の投資者勘定番号とを含み、さらに、
前記コンピュータ可読媒体上に格納された命令であって、１つまたは複数のプロセッサに、通信リンクを介して、前記財源プールの前記価値を示す信号を送信させ、かつ
前記通信リンクを介して、前記プロキシ資産セットの各プロキシ資産についての、前記１つまたは複数の指数のセットのうちの指数に反応する１株当たりのプロキシ資産勘定価値を受信させるための命令を含む、コンピュータ・プログラム製品。
【請求項７１】
１つまたは複数の指数のセットに反応する２つ以上のプロキシ資産のプロキシ資産セットの株式を取引所で取引するためのコンピュータ・プログラム製品であって、前記プロキシ資産セットの各プロキシ資産は、プロキシ資産勘定価値およびいくつかのプロキシ資産株を有し、前記プロキシ資産勘定価値の前記プロキシ資産セットにわたる合計は、財源プールの価値に実質的に等しく、
コンピュータ可読媒体と、
前記媒体上に格納された命令であって、１つまたは複数のプロセッサに、表示装置上で、前記プロキシ資産セットの株式を取引するための１つまたは複数のオファーの間の前記プロキシ資産セットの株式の完全セットを提示させるための命令とを含み、
完全セットが前記プロキシ資産セットの株式の間である条件を満たす、コンピュータ・プログラム製品。
【請求項７２】
１つまたは複数の指数のセットに反応する２つ以上のプロキシ資産のプロキシ資産セットを管理するためのコンピュータ・プログラム製品であって、前記プロキシ資産セットの各プロキシ資産は、プロキシ資産勘定価値および前記プロキシ資産勘定価値において等しい請求権を表すいくつかのプロキシ資産株を有し、前記プロキシ資産セットは、前記いくつかのプロキシ資産株の前記プロキシ資産セットにわたる合計に等しい株式の総数を有し、かつ前記プロキシ資産勘定価値の前記プロキシ資産セットにわたる合計に等しいプロキシ資産セット勘定価値を有し、
財源プールの価値および前記指数のセットのうちの指数の価値を格納するためのコンピュータ可読媒体と、
前記コンピュータ可読媒体上に格納された命令であって、１つまたは複数のプロセッサに、プロキシ資産勘定価値を、前記指数の前記価値に反応する勘定式、および前記財源プールの価値による前記プロキシ資産セット勘定価値への制約に従って評価させる命令とを含み、前記評価は、複数の所定のイベントの各イベントの発生において実行される、コンピュータ・プログラム製品。
【請求項７３】
１つまたは複数の指数のセットに反応する２つ以上のプロキシ資産のプロキシ資産セットにおける投資をバンキングするための信号伝送であって、
信号を伝送するための搬送波と、
前記搬送波上で伝送された、財源プールについての価値を示す信号と、
前記搬送波上で伝送された、投資者のセットのうち特定の投資者、前記プロキシ資産セットのうち特定のプロキシ資産、およびプロキシ資産株の投資者勘定番号を含む特定の投資者勘定を示す信号と、
前記搬送波上で伝送された信号であって、１つまたは複数のプロセッサに、通信リンクを介して、前記財源プールの前記価値を示す信号を送信させ、かつ
前記通信リンクを介して、前記プロキシ資産セットの各プロキシ資産についての、前記１つまたは複数の指数のセットのうちの指数に反応する１株当たりのプロキシ資産勘定価値を示す信号を受信させるための命令を示す信号とを含む、信号伝送。
【請求項７４】
１つまたは複数の指数のセットに反応する２つ以上のプロキシ資産のプロキシ資産セットの株式を取引所で取引するための信号伝送であって、前記プロキシ資産セットの各プロキシ資産は、プロキシ資産勘定価値およびいくつかのプロキシ資産株を有し、前記プロキシ資産勘定価値の前記プロキシ資産セットにわたる合計は、財源プールの価値に実質的に等しく、
信号を伝送するための搬送波と、
前記搬送波上で伝送された信号であって、１つまたは複数のプロセッサに、表示装置上で、前記プロキシ資産セットの株式を取引するための１つまたは複数のオファーの間の前記プロキシ資産セットの株式の完全セットを提示させるための命令を示す信号とを含み、
完全セットが前記プロキシ資産セットの株式の間である条件を満たす、信号伝送。
【請求項７５】
１つまたは複数の指数のセットに反応する２つ以上のプロキシ資産のプロキシ資産セットを管理するための信号伝送であって、前記プロキシ資産セットの各プロキシ資産は、プロキシ資産勘定価値および前記プロキシ資産勘定価値において等しい請求権を表すいくつかのプロキシ資産株を有し、前記プロキシ資産セットは、前記いくつかのプロキシ資産株の前記プロキシ資産セットにわたる合計に等しい株式の総数を有し、かつ前記プロキシ資産勘定価値の前記プロキシ資産セットにわたる合計に等しいプロキシ資産セット勘定価値を有し、
信号を伝送するための搬送波と、
前記搬送波上で伝送された、財源プールの価値および前記指数のセットのうちの指数の価値を示す信号と、
前記搬送波上で伝送された信号であって、１つまたは複数のプロセッサに、プロキシ資産勘定価値を、前記指数の前記価値に反応する勘定式、および前記財源プールの価値による前記プロキシ資産セット勘定価値への制約に従って評価させるための命令を示す信号とを含み、前記評価は、複数の所定のイベントの各イベントの発生において実行される、信号伝送。
【請求項７６】
プロキシ資産セットにおける株式を提供する方法であって、前記プロキシ資産セットにおける各プロキシ資産はプロキシ資産勘定価値を有し、
Ａ．前記プロキシ資産セットにおけるすべてのプロキシ資産の前記勘定価値の前記合計に等しいプロキシ資産セット勘定価値を、前記プロキシ資産セット勘定価値を財源プールの価値により制約することを含めて、定義するステップと、
Ｂ．前記プロキシ資産の第１のサブセットにおける請求権を表す第１の株式のセットをオファーするステップとを含み、前記第１の株式のセットが、前記指数のセットにおけるプラス変化に応じて、第１の公式に従って、価値における増大を経験し、さらに
Ｃ．プロキシ資産の第２のサブセットにおける請求権を表す第２の株式のセットをオファーするステップを含み、前記第２の株式のセットが、前記指数のセットにおけるマイナス変化に応じて、第２の公式に従って、価値における増大を経験し、さらに、
Ｄ．前記プロキシ資産のうち１つまたは複数を、前記第１および第２の公式に応じて、前記第１の株式のセットと前記第２の株式のセットの間で移行するステップを含む方法。
【請求項７７】
前記第１および第２の株式のセットが公的に売りにオファーされる、請求項７６に記載の方法。
【請求項７８】
前記第１および第２の株式のセットが私的に売りにオファーされる、請求項７６に記載の方法。
【請求項７９】
前記の指数のセットのうち１つまたは複数が、１つまたは複数の企業株又ミューチャル・ファンドを表す、請求項７６に記載の方法。
【請求項８０】
前記指数のセットのうち１つまたは複数が、
１）ＮＡＳＤＡＱ、
２）Ｓ＆Ｐ５００、
３）ダウ・ジョーンズ工業平均株価、
４）ニューヨーク取引所総合指数、および
５）日経を含むグループから選択される総合指数を表す、請求項７６に記載の方法。
【請求項８１】
Ｅ．前記プロキシ資産勘定価値を、１つまたは複数の所定のタイプのイベントの発生において、勘定式に従って再評価するステップをさらに含む、請求項７６に記載の方法。
【請求項８２】
Ｅ．前記プロキシ資産株をオファーする前記ステップを、トリガリング・イベントに応じて終了させるステップをさらに含み、前記トリガリング・イベントは、
１）所定の期間の終了、
２）前記指数のセットにおける価値変動、
３）前記プロキシ資産株の利益率における変化、
４）１つまたは複数の経済指標のセットにおける変化、
５）リスク報酬のレベルにおける変化、
６）前記財源プールの前記価値における変化、および
７）前記プライム・レートにおける変化を含むイベントのグループから選択される、請求項７６に記載の方法。
【請求項８３】
前記財源プールの前記価値を、トリガリング・イベントに応じて調整するステップをさらに含み、前記トリガリング・イベントは、
１）所定の期間の終了、
２）前記指数のセットからの指数の追加または削除、
３）前記指数のセットにおける価値変動、
４）１つまたは複数の経済指標のセットにおける変化、
５）リスク報酬のレベルにおける変化、および
６）前記プライム・レートにおける変化を含むイベントのグループから選択される、請求項７６に記載の方法。
【請求項８４】
プロセスによって生成されたプロキシ資産株のセットであって、前記プロセスは、
ａ．プロキシ資産のセットを定義するステップと、
ｂ．前記プロキシ資産のセットについて、１つまたは複数の指数に反応する少なくとも１つのプロキシ資産勘定価値を定義するステップと、
ｃ．前記少なくとも１つのプロキシ資産勘定価値の合計を、財源プールの価値によって制約するステップと、
ｄ．前記少なくとも１つのプロキシ資産勘定価値における請求権を表す少なくとも１つのプロキシ資産株のセットを定義するステップとを含む、プロキシ資産株のセット。
【請求項８５】
前記プロキシ資産のセットが非流動資産のセットを含み、前記非流動資産のセットが、
ｉ）不動産、
ｉｉ）私的保有企業株、
ｉｉｉ）めったに取引されない企業株、
ｉｖ）船舶、
ｖ）航空機、
ｖｉ）希少コイン、
ｖｉｉ）高価な宝石、
ｖｉｉｉ）傑作絵画、
ｉｘ）家畜、
ｘ）サラブレッド、および
ｘｉ）所得の流れのうち１つまたは複数を含む、請求項８４に記載のプロキシ資産株のセット。
【請求項８６】
前記１つまたは複数の指数が、
ｉ）総合指数、
ｉｉ）１つまたは複数の株価、
ｉｉｉ）金利、および
ｉｖ）前記プロキシ資産のセットにおけるプロキシ資産の価値を表す指数のうち１つまたは複数を含む、請求項８４に記載のプロキシ資産株のセット。
【請求項８７】
前記少なくとも１つのプロキシ資産株のセットが、前記プロキシ資産のセットにおける反対のポジションを表す第１のプロキシ資産株のサブセットおよび第２のプロキシ資産株のサブセットを含む、請求項８４に記載のプロキシ資産株のセット。